Podtech/llm-jp-corpus-v4-ja_patent huggingface dataset:
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
遊技者の操作によって遊技媒体が打ち込まれる遊技領域を有した遊技盤と、
該遊技盤の前記遊技領域内に進入した遊技媒体を検知可能な進入検知手段と、
該進入検知手段による遊技媒体の検知に基づいて所定の演出画像を制御可能な演出表示制御手段と、
該演出表示制御手段によって制御された所定の演出画像を表示可能な演出表示手段と
を具備することを特徴とする遊技機。
【請求項２】
前記演出表示手段は、所定の演出画像を表示する表示領域の広さが、前記遊技盤の前記遊技領域よりも広く形成されているものである
請求項１に記載の遊技機。
【請求項３】
前記遊技盤は、前記支持部材の左右方向中心よりも右側に偏った位置に前記遊技領域の中央が配置されるように設けられてなる
請求項１または２に記載の遊技機。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
島設備に設置される遊技機本体と、
遊技球が打ち込まれる遊技領域を有する遊技盤と、
種々の画像が表示される表示面を有する演出画像表示装置と、
前記遊技領域に設けられ、遊技球を受け入れ困難な閉状態と当該閉状態よりも遊技球を受け入れ容易な開状態との間で開閉動作可能な開閉装置と、
前記遊技領域に設けられ、遊技球を受け入れ可能な始動口と、
前記始動口への遊技球の入球があったか否かの判断を行う始動判断手段と、
前記始動判断手段により前記始動口への遊技球の入球があった旨判断されることに基づいて大当たりについての抽選処理を行う抽選手段と、
前記抽選手段により前記大当たりについての抽選処理が行われたとき、該抽選処理の結果を前記演出画像表示装置の表示面に表示するための表示制御として、前記演出画像表示装置の表示面に特定の画像を演出表示させる演出制御手段と、
前記抽選手段により前記大当たりが当選されたとき、前記開閉装置が開閉動作される特別遊技を行う特別遊技実行手段と、を備え、
前記演出制御手段は、
前記特定の画像の演出表示に先立って、予め定められたミッションが達成される変動前演出を前記演出画像表示装置の表示面にて表示する始動入賞示唆手段を備える
ことを特徴とする遊技機。
【請求項２】
前記演出画像表示装置の表示面は、前記遊技盤の前記遊技領域よりも広く形成されてなる
請求項１に記載の遊技機。
【請求項３】
前記遊技盤は、前記支持部材の左右方向中心よりも右側に偏った位置に前記遊技領域の中央が配置されるように設けられてなる
請求項１または２に記載の遊技機。
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
Ｘ線を被写体に照射するＸ線発生手段と、  
前記Ｘ線発生手段によって前記被写体に照射されたＸ線によって前記被写体内部で発生する散乱Ｘ線を除去するグリッドと、  
前記Ｘ線発生手段と対向配置され前記被写体の前記グリッド透過後のＸ線強度分布を画像データとして出力するＸ線平面検出器と、  
前記Ｘ線平面検出器より出力される画像データの欠損画素情報を記憶する欠損画素情報記憶手段と、  
前記グリッドによって生じるモアレの空間周波数によって決められる画素を選択する欠損補正画素選択手段と、
前記欠損画素情報記憶手段に記憶されている欠損画素情報に基づいて、前記Ｘ線平面検出器より出力された画像データの欠損画素を前記欠損補正画素選択手段で選択された画素を用いて補正する欠損画素補正手段と、  
前記欠損画素補正手段によって欠損画素が補正された画像データに対し、前記モアレの低減処理を施すモアレ補正手段と、  
前記モアレ補正手段より出力される画像データを画像として表示する表示手段と、  
を備えたことを特徴とするＸ線画像診断装置。  
【請求項２】
前記グリッドの格子本数と前記Ｘ線平面検出器の固有の画素サイズとによりモアレの空間周波数を算出するモアレ周波数算出手段をさらに備えたことを特徴とする請求項１記載のＸ線画像診断装置。  
【請求項３】
前記欠損補正画素選択手段は、前記モアレ周波数算出手段によって算出されたモアレの空間周波数の１周期に相当する画素数だけ欠損画素より離れた画素を補正に用いる画素として選択することを特徴とする請求項２記載のＸ線画像診断装置。
【手続補正２】
【補正対象書類名】明細書
【補正対象項目名】０００８
【補正方法】変更
【補正の内容】
【０００８】
上記目的を達成するため、本発明によるX線画像診断装置は、Ｘ線を被写体に照射するＸ線発生手段と、前記Ｘ線発生手段によって前記被写体に照射されたＸ線によって前記被写体内部で発生する散乱Ｘ線を除去するグリッドと、前記Ｘ線発生手段と対向配置され前記被写体の前記グリッド透過後のＸ線強度分布を画像データとして出力するＸ線平面検出器と、前記Ｘ線平面検出器より出力される画像データの欠損画素情報を記憶する欠損画素情報記憶手段と、前記グリッドによって生じるモアレの空間周波数によって決められる画素を選択する欠損補正画素選択手段と、前記欠損画素情報記憶手段に記憶されている欠損画素情報に基づいて、前記Ｘ線平面検出器より出力された画像データの欠損画素を前記欠損補正画素選択手段で選択された画素を用いて補正する欠損画素補正手段と、  
前記欠損画素補正手段によって欠損画素が補正された画像データに対し、前記モアレの低減処理を施すモアレ補正手段と、前記モアレ補正手段より出力される画像データを画像として表示する表示手段と、を備えたことを特徴とする。
【手続補正書】
【提出日】平成21年11月24日(2009.11.24)
【手続補正１】
【補正対象書類名】特許請求の範囲
【補正対象項目名】全文
【補正方法】変更
【補正の内容】
【特許請求の範囲】
【請求項１】
白血球の少なくとも一部を除去する性能を有するフィルター担体の表面がエチレン−ビニルアルコール共重合体で被覆されており、該エチレン−ビニルアルコール共重合体のエチレン含量が２０ｍｏｌ％以上７０ｍｏｌ％以下であることを特徴とする、単核球の炎症性サイトカイン産生が抑制された白血球含有液を得るためのフィルター材。
【請求項２】
前記フィルター材のエチレン−ビニルアルコール共重合体の被覆量が単位表面積あたり０．２ｍｇ／ｍ2以上２００ｍｇ／ｍ2以下である請求項１記載の単核球の炎症性サイトカイン産生が抑制された白血球含有液を得るためのフィルター材。
【請求項３】
前記フィルター担体が織布または／および不織布である請求項１または２記載の単核球の炎症性サイトカイン産生が抑制された白血球含有液を得るためのフィルター材。
【請求項４】
前記織布または／および不織布のモノフィラメントの平均繊維直径が０．５μｍ以上５０μｍ以下であり、且つ嵩密度が０．０５ｇ／ｃｍ3 以上０．５ｇ／ｃｍ 3 以下である請求項３記載の単核球の炎症性サイトカイン産生が抑制された白血球含有液を得るためのフィルター材。
【請求項５】
前記フィルター担体が粒子集合体である請求項１または２記載の単核球の炎症性サイトカイン産生が抑制された白血球含有液を得るためのフィルター材。
【請求項６】
前記粒子の球相当直径が０．１ｍｍ以上５ｍｍ以下である請求項５記載の単核球の炎症性サイトカイン産生が抑制された白血球含有液を得るためのフィルター材。
【請求項７】
白血球の少なくとも一部を除去する性能を有するフィルター材がエチレン−ビニルアルコール不織布および／またはエチレン−ビニルアルコール粒子からなることを特徴とする、単核球の炎症性サイトカイン産生が抑制された白血球含有液を得るためのフィルター材。
【請求項８】
少なくとも入口と出口とを有する容器に、該容器内を入口側空間と出口側空間に隔てるように請求項１乃至７の何れかに記載のフィルター材を充填してなる、単核球の炎症性サイトカイン産生が抑制された白血球含有液を得るためのフィルター装置。
【請求項９】
白血球の少なくとも一部を除去する性能を有するフィルター材の表面がエチレン−ビニルアルコール共重合体であるフィルター材に、単核球を含む白血球含有液を接触させることにより該単核球の炎症性サイトカイン産生が抑制された白血球含有液を得る方法。
【請求項１０】
前記フィルター材が請求項１乃至７の何れかに記載のフィルター材である請求項９記載の単核球の炎症性サイトカイン産生が抑制された白血球含有液を得る方法。
【請求項１１】
白血球の少なくとも一部を除去する性能を有するフィルター担体の表面がエチレン−ビニルアルコール共重合体で被覆されており、該エチレン−ビニルアルコール共重合体の被覆量が単位表面積あたり０．１ｍｇ／ｍ2以上１８０ｍｇ／ｍ2以下であり、かつ該エチレン−ビニルアルコール共重合体のエチレン含量が２５ｍｏｌ％以上４４ｍｏｌ％以下であることを特徴とする、単核球の炎症性サイトカイン産生が抑制された白血球含有液を得るためのフィルター材。
【手続補正書】
【提出日】平成22年7月2日(2010.7.2)
【手続補正１】
【補正対象書類名】特許請求の範囲
【補正対象項目名】全文
【補正方法】変更
【補正の内容】
【特許請求の範囲】
【請求項１】
サポート部材に上下多段に設けられたスリットに、後端部に設けられた係止フックが挿入され片持ち状に支持され、上部に棚板が載置される陳列棚用ブラケットの保護装置であって、前記保護装置は、前記陳列棚用ブラケットの先端部に装着される保護キャップ部分と、この保護キャップ部分からブラケットの棚板載置面まで連接して設けられた保持部と、を備えることを特徴とする陳列棚用ブラケットの保護装置。
【請求項２】
前記保持部が棚板によりブラケット側へ押し付けられることを特徴とする請求項１に記載の陳列棚用ブラケットの保護装置。
【請求項３】
前記保持部は、ブラケット側に開口部が形成されていることを特徴とする請求項１又は請求項２に記載の陳列棚用ブラケットの保護装置。
【請求項４】
前記保護キャップ部分から連接して棚板の跳ね上がりを抑制する突出部が設けられていることを特徴とする請求項１ないし請求項３のいずれか１項に記載の陳列棚用ブラケットの保護装置。
【手続補正２】
【補正対象書類名】明細書
【補正対象項目名】０００９
【補正方法】変更
【補正の内容】
【０００９】
この発明の陳列棚用ブラケットの保護装置は、サポート部材に上下多段に設けられたスリットに、後端部に設けられた係止フックが挿入され片持ち状に支持され、上部に棚板が載置される陳列棚用ブラケットの保護装置であって、前記保護装置は、前記陳列棚用ブラケットの先端部に装着される保護キャップ部分と、この保護キャップ部分からブラケットの棚板載置面まで連接して設けられた保持部と、を備えることを特徴とする。
【手続補正３】
【補正対象書類名】明細書
【補正対象項目名】００１０
【補正方法】変更
【補正の内容】
【００１０】
前記保持部が棚板によりブラケット側へ押し付けられるように構成すればよい。また、前記保持部は、ブラケット側に開口部を形成すればよい。
【手続補正４】
【補正対象書類名】明細書
【補正対象項目名】００３１
【補正方法】変更
【補正の内容】
【００３１】
図１１は、この発明の第４の実施形態を示し、（ａ）は側面図、（ｂ）は正面図である。この第４の実施形態は、靴下状に保護装置３を形成したものである。即ち、開口部を設けていない。それ以外の構成は第１の実施形態と同様であるので、同じ部分には同じ符号を付し、説明の重複を避けるために、ここでは、その説明を割愛する。
【手続補正５】
【補正対象書類名】明細書
【補正対象項目名】００４３
【補正方法】変更
【補正の内容】
【００４３】
【図１】この発明の実施形態に用いられる陳列棚用ブラケットを示す斜視図である。
【図２】この発明の実施形態に用いられる陳列棚用ブラケットの先端部分を拡大した側面図である。
【図３】この発明の実施形態を用いた陳列棚を示す分解斜視図である。
【図４】この発明の第１の実施形態にかかる保護装置を示し、（ａ）は上面図、（ｂ）は断面図、（ｃ）は正面図である。
【図５】この発明の保護装置３をブラケット１に取り付ける方法を示す模式図である。
【図６】この発明の第１の実施形態にかかる保護装置３をブラケット１に取り付け、ガラス板１０４を際した状態を示す側面図である。
【図７】この発明の保護装置をブラケットに取り付けたときの側面側から見た保護領域を示す図である。
【図８】この発明の保護装置をブラケットに取り付けたときの上面側から見た保護領域を示す図である。
【図９】この発明の第２の実施形態にかかる保護装置を示す断面図である。
【図１０】この発明の第３の実施形態にかかる保護装置を示す側面図である。
【図１１】この発明の第４の実施形態にかかる保護装置を示し、（ａ）は側面図、（ｂ）は正面図である。
【図１２】この発明の第５の実施形態にかかる保護装置をブラケットの装着する前の状態を示す斜視図である。
【図１３】この発明の第５の実施形態にかかる保護装置をブラケットの装着する状態を示す斜視図である。
【図１４】この発明の第５の実施形態にかかる保護装置をブラケットの装着した状態を示す斜視図である。
【図１５】この発明の第５の実施形態にかかる保護装置をブラケットに装着し、この上にガラス板を載置した状態を示す側面図である。
【図１６】ガラス板の側面を保護する例を示す斜視図である。
【図１７】この発明の第６の実施形態にかかる保護装置を示す側面図である。
【図１８】この発明の第６の実施形態にかかる保護装置を示す側面図である。
【図１９】従来の陳列棚の斜視図である。
【図２０】従来例の縦断側面図である。
【手続補正６】
【補正対象書類名】図面
【補正対象項目名】図４
【補正方法】変更
【補正の内容】
【図４】
2008136744.tif 000001
【手続補正７】
【補正対象書類名】図面
【補正対象項目名】図６
【補正方法】変更
【補正の内容】
【図６】
2008136744.tif 000002
【手続補正８】
【補正対象書類名】図面
【補正対象項目名】図９
【補正方法】変更
【補正の内容】
【図９】
2008136744.tif 000003
【手続補正書】
【提出日】平成22年7月7日(2010.7.7)
【手続補正１】
【補正対象書類名】特許請求の範囲
【補正対象項目名】全文
【補正方法】変更
【補正の内容】
【特許請求の範囲】
【請求項１】
移動ビークル（２０）に配置されているイメージングデバイス（５０）の画像平面（１０５）上に形成されるターゲット画像を動的に安定させる方法であって、
前記イメージングデバイスの前記画像平面において、第１の軸（Ｘｉ）、第２の軸（Ｙｉ）、及び、前記イメージングデバイスの光軸（５２）である第３の軸（Ｚｉ）の交点に原点（５１）を設定するステップと、
前記ターゲット画像（１３０）の画像図心（５３）が前記画像平面（１０５）の前記原点（５１）にあるようにターゲット（３０）を撮像するステップと、
前記ビークルの動きを示すセンサデータをモニタするステップと、
前記画像平面の前記原点に前記画像図心を安定させるパン出力及びチルト出力を生成して、ビークルの動き及びターゲットの動きを較正するステップであって、前記パン出力及びチルト出力は、前記ターゲットまでの距離を示すデータを含む前記センサデータに少なくとも部分的に基づいて指数安定制御則（exponentially stabilizing control laws）を実施することによって生成される、パン出力及びチルト出力を生成するステップと
を含むことを特徴とする方法。
【請求項２】
請求項１記載の方法において、前記ビークルの動きは平行移動及び回転を含み、前記パン出力及びチルト出力を生成するステップは、
前記原点（５１）から選択された距離内に前記画像図心（５３）を安定させる回転出力を生成するステップと、
前記回転出力に基づき、前記ビークル（２０）が前記ターゲット（３０）に対して移動する時に、前記原点から前記選択された距離内に前記画像図心を維持するステップと
を含み、
前記方法はさらに、選択されたサイズ範囲内にターゲット画像サイズを安定させるズーム出力を生成して前記ビークルの動き及び前記ターゲットの動きを較正する、ズーム出力を生成するステップを含む
ことを特徴とする方法。
【請求項３】
請求項２記載の方法において、該方法はさらに、
前記ズーム出力に基づいて、前記ビークル（２０）が前記ターゲット（３０）に対して移動するとき、前記選択されたサイズ範囲内にターゲット画像サイズを維持するステップ
を含むことを特徴とする方法。
【手続補正書】
【提出日】平成22年7月21日(2010.7.21)
【手続補正１】
【補正対象書類名】特許請求の範囲
【補正対象項目名】全文
【補正方法】変更
【補正の内容】
【特許請求の範囲】
【請求項１】
シート基板における複数のデバイス形成領域に電子部品および予め個片化された圧電振動子をそれぞれ配置して、前記デバイス形成領域毎に配置した前記圧電振動子と前記電子部品とを導通する工程と、
前記圧電振動子のベースと前記シート基板とを切断して、前記デバイス形成領域毎に個片化する工程と、
を順に行うことを特徴とする圧電デバイスの製造方法。
【請求項２】
シート基板に電子部品を配置する工程と、
前記シート基板に接続部材を配置し、前記電子部品が前記シート基板と前記圧電振動子との間に位置するように、前記シート基板に前記接続部材を介して圧電振動子を配置する工程と、
前記圧電振動子と前記シート基板との間を樹脂モールド材で充たすとともに、少なくとも前記圧電振動子の側面を前記樹脂モールド材で覆う工程と、
前記圧電振動子のベースと前記シート基板と前記樹脂モールド材とを一括して切断する工程と、
を順に行うことを特徴とする圧電デバイスの製造方法。
【請求項３】
前記樹脂モールド材で覆う工程は、前記圧電振動子と前記シート基板との間を前記樹脂モールド材で充たすとともに、前記圧電振動子の前記側面および前記圧電振動子の上部を覆う工程であり、
前記樹脂モールド材で覆う工程の後に、前記圧電振動子の前記上部を覆った前記樹脂モールド材を取り除く工程を行うことを特徴とする請求項２に記載の圧電デバイスの製造方法。
【請求項４】
前記樹脂モールド材で覆う工程は、前記圧電振動子の前記側面に形成したキャスタレーションを前記樹脂モールド材で覆うことを特徴とする請求項２または３に記載の圧電デバイスの製造方法。
【請求項５】
前記圧電振動子のベースの切断は、圧電振動子を構成するパッケージベースの側壁、または圧電振動子を構成するベース板を切断することを特徴とする請求項１ないし４のいずれかに記載の圧電デバイスの製造方法。
【請求項６】
前記圧電振動子は、予め個片化してあることを特徴とする請求項２ないし５のいずれかに記載の圧電デバイスの製造方法。
【請求項７】
請求項１ないし６のいずれかに記載の圧電デバイスの製造方法によって製造されたことを特徴とする圧電デバイス。
【請求項８】
請求項７に記載の圧電デバイスを搭載したことを特徴とする電子機器。
【手続補正２】
【補正対象書類名】明細書
【補正対象項目名】０００８
【補正方法】変更
【補正の内容】
【０００８】
［適用例１］シート基板における複数のデバイス形成領域に電子部品および予め個片化された圧電振動子をそれぞれ配置して、前記デバイス形成領域毎に配置した前記圧電振動子と前記電子部品とを導通する工程と、前記圧電振動子のベースと前記シート基板とを切断して、前記デバイス形成領域毎に個片化する工程と、を順に行うことを特徴とする圧電デバイスの製造方法。
これにより個片化した後の基板および圧電振動子の各側面が圧電デバイスの表面に露出して、同一面を形成することができるので、圧電デバイスの平面サイズを小型化できる。また圧電デバイスは、圧電振動子のベースの一部を切断して形成するため、圧電振動子の平面サイズよりも小型にできる。さらに圧電デバイスを製造するには、圧電振動子のベースの一部を切断しているので、シート基板上に配置する圧電デバイス同士の間隔を狭くすることができる。これにより１枚のシート基板に配置する圧電振動子の数を多くでき、１枚のシート基板から得られる圧電デバイスの数を多くできる。
【手続補正３】
【補正対象書類名】明細書
【補正対象項目名】００１０
【補正方法】変更
【補正の内容】
【００１０】
［適用例３］シート基板に電子部品を配置する工程と、前記シート基板に接続部材を配置し、前記電子部品が前記シート基板と前記圧電振動子との間に位置するように、前記シート基板に前記接続部材を介して圧電振動子を配置する工程と、前記圧電振動子と前記シート基板との間を樹脂モールド材で充たすとともに、少なくとも前記圧電振動子の側面を前記樹脂モールド材で覆う工程と、前記圧電振動子のベースと前記シート基板と前記樹脂モールド材とを一括して切断する工程と、を順に行うことを特徴とする圧電デバイスの製造方法。
【手続補正４】
【補正対象書類名】明細書
【補正対象項目名】００１６
【補正方法】変更
【補正の内容】
【００１６】
［適用例８］上述の適用例のいずれかに記載の圧電デバイスの製造方法によって製造されたことを特徴とする圧電デバイス。
これにより圧電デバイスの平面サイズを小型にすることができる。
【手続補正書】
【提出日】平成22年3月15日(2010.3.15)
【手続補正１】
【補正対象書類名】特許請求の範囲
【補正対象項目名】全文
【補正方法】変更
【補正の内容】
【特許請求の範囲】
【請求項１】
ディジタル圧縮映像信号とディジタル圧縮音声信号とを含む番組のパケット、及び前記ディジタル圧縮映像信号と前記ディジタル圧縮音声信号のパケットを識別するための第１の識別情報のパケットが多重されているストリームを受信するストリーム受信装置において、
前記ストリームを受信する受信手段と、
前記受信手段により受信された前記ストリームに含まれる前記ディジタル圧縮映像信号と前記ディジタル圧縮音声信号とを識別して分離するパケット分離手段と、
前記パケット分離手段により分離された前記ディジタル圧縮映像信号と前記ディジタル圧縮音声信号とをデコードして出力する第１の出力手段と、
前記ディジタル圧縮映像信号と前記ディジタル圧縮音声信号に対応した第２の識別情報のパケットと、番組の変更点を検出できる記録の切れ目であることを示す第１のパケット及び第２のパケットとを生成するパケット生成手段と、
前記ディジタル圧縮映像信号のパケット及び前記ディジタル圧縮音声信号のパケット及び前記第２の識別情報のパケットと、前記第１のパケット及び前記第２のパケットとを切替えて出力する第２の出力手段と、
前記第２の出力手段を制御する制御手段とを備え、
前記制御手段は、番組の変更点を検出できる記録の切れ目であることを示す前記第１のパケットと前記第２のパケットとを連続して出力するように制御することを特徴とするストリーム受信装置。
【請求項２】
ディジタル圧縮映像信号とディジタル圧縮音声信号とを含む番組のパケット、及び前記ディジタル圧縮映像信号と前記ディジタル圧縮音声信号のパケットを識別するための第１の識別情報のパケットが多重されているストリームを受信するストリーム受信方法において、
前記ストリームを受信するステップと、
受信された前記ストリームに含まれる前記ディジタル圧縮映像信号と前記ディジタル圧縮音声信号とを識別して分離するステップと、
分離された前記ディジタル圧縮映像信号と前記ディジタル圧縮音声信号とをデコードして出力するステップと、
前記ディジタル圧縮映像信号のパケット及び前記ディジタル圧縮音声信号のパケット及び前記ディジタル圧縮映像信号と前記ディジタル圧縮音声信号に対応した第２の識別信号のパケットと、番組の変更点を検出できる記録の切れ目であることを示す第１のパケット及び第２のパケットとを出力するステップとを有し、
前記第１のパケット及び前記第２のパケットの出力は、前記第１のパケットと前記第２のパケットとを連続して出力することを特徴とするストリーム受信方法。
【請求項３】
ストリームを送信し、受信するストリーム送受信方法において、
ディジタル圧縮映像信号とディジタル圧縮音声信号とを含む番組のパケット、及び前記ディジタル圧縮映像信号と前記ディジタル圧縮音声信号のパケットを識別するための第１の識別情報のパケットが多重されているストリームを生成し、
生成された前記ストリームを送信し、
送信された前記ストリームを受信し、
受信された前記ストリームに含まれる前記ディジタル圧縮映像信号と前記ディジタル圧縮音声信号とを識別して分離し、
前記ディジタル圧縮映像信号のパケット及び前記ディジタル圧縮音声信号のパケット及び前記ディジタル圧縮映像信号と前記ディジタル圧縮音声信号に対応した第２の識別信号のパケットと、番組の変更点を検出できる記録の切れ目であることを示す第１のパケット及び第２のパケットとを出力し、
前記第１のパケット及び前記第２のパケットの出力は、前記第１のパケットと前記第２のパケットとを連続して出力することを特徴とするストリーム送受信方法。
【手続補正２】
【補正対象書類名】明細書
【補正対象項目名】発明の名称
【補正方法】変更
【補正の内容】
【発明の名称】ストリーム受信装置、ストリーム受信方法、及びストリーム送受信方法
【手続補正３】
【補正対象書類名】明細書
【補正対象項目名】０００６
【補正方法】変更
【補正の内容】
【０００６】
前記目的は、その一例として特許請求の範囲に記載の構成により達成できる。
【手続補正書】
【提出日】平成22年5月6日(2010.5.6)
【手続補正１】
【補正対象書類名】特許請求の範囲
【補正対象項目名】全文
【補正方法】変更
【補正の内容】
【特許請求の範囲】
【請求項１】
符号化された画像の信号を復号化する復号化装置において、
前記画像を上下に反転する上下対称モード又は前記画像を左右に反転する左右対称モードの変換がなされているか否かを判定するモード判定部と、
前記画像を復号化する復号化部と、
前記復号化された画像に対して、前記判定された変換を元に戻す変換を行い、さらに、インター予測符号化を行う場合に、当該変換と同じモードで前記画像の参照画像の変換を行う画像変換部とを備えることを特徴とする復号化装置。
【請求項２】
前記画像変換部は、インター予測符号化された信号を復号化する場合に前記画像の参照画像の反転を行うことを特徴とする請求項1に記載の復号化装置。
【請求項３】
符号化された画像の信号を復号化する処理を、プロセッサに実行させるプログラムにおいて、
前記画像を上下に反転する上下対称モード又は前記画像を左右に反転する左右対称モードの変換がなされているか否かを判定する第１のステップと、
当該変換と同じモードで、前記画像の参照画像の変換を行う第２のステップと、
前記画像を、インター予測を用いて復号化する第３のステップと、
前記復号化された画像に対して、前記判定された変換を元に戻す変換を行う第４のステップと、を含むことを特徴とするプログラム。
【請求項４】
符号化された画像の信号を復号化する装置であって、
前記画像を上下に反転する上下対称モード又は前記画像を左右に反転する左右対称モードの変換がなされているか否かを判定する第１のステップと、
当該変換と同じモードで、前記画像の参照画像の変換を行う第２のステップと、
前記画像をインター予測を用いて符号化する第３のステップと、
前記復号化された画像に対して、前記判定された変換を元に戻す変換を行う第４のステップと、を含むプログラムが格納されていることを特徴とするデータ記録媒体。
【手続補正書】
【提出日】平成22年2月22日(2010.2.22)
【手続補正１】
【補正対象書類名】明細書
【補正対象項目名】００６９
【補正方法】変更
【補正の内容】
【００６９】
式（１９）の関係が成立する場合には、ステップＳ１６において、ＦＥＴＱ２１，ＦＥＴＱ２２をＯＮとし充電を再開する。充電の再開と共に充電制御部４０のタイマＴ２がカウントを始める。タイマＴ２が設定値に達すると、ステップＳ１１に処理が戻り、ＦＥＴＱ２１をＯＦＦにすることで充電電流ＩｂがＯＦＦとされ、ステップＳ１２において、Ｖｘ，Ｖｙが測定され、再度ΔＶxyq を求め、ΔＶxyq と基準電圧ΔＶｑ'とがステップＳ２２において比較される。式（１９）が成立しなくなると、充電終了状態と判定され、ＦＥＴＱ２１，Ｑ２２が共にＯＦＦとされ、充電が終了する（ステップＳ１５）。このように、誤差が補正された二つの値ΔＶxy'とΔＶｑ'を使用することにより非常に高精度なΔＶ検出が可能となる。
【手続補正２】
【補正対象書類名】明細書
【補正対象項目名】０１１１
【補正方法】変更
【補正の内容】
【０１１１】
式（１９）の関係が成立する場合には、ステップＳ１６において、ＦＥＴＱ２１，ＦＥＴＱ２２をＯＮとし充電を再開する。充電の再開と共に充電制御部１４０のタイマＴ２がカウントを始める。タイマＴ２が設定値に達すると、ステップＳ１１に処理が戻り、ＦＥＴＱ２１をＯＦＦにすることで充電電流ＩｂがＯＦＦとされ、ステップＳ１２において、Ｖｘ，Ｖｙが測定され、再度ΔＶxyq を求め、ΔＶxyq と基準電圧ΔＶｑ'とがステップＳ２２において比較される。式（１９）が成立しなくなると、充電終了状態と判定され、ＦＥＴＱ２１，Ｑ２２が共にＯＦＦとされ、充電が終了する（ステップＳ１５）。このように、誤差が補正された二つの値ΔＶxy'とΔＶｑ'を使用することにより非常に高精度なΔＶ検出が可能となる。
【手続補正書】
【提出日】平成22年9月7日(2010.9.7)
【手続補正１】
【補正対象書類名】明細書
【補正対象項目名】発明の名称
【補正方法】変更
【補正の内容】
【発明の名称】無線通信機器
【手続補正２】
【補正対象書類名】特許請求の範囲
【補正対象項目名】全文
【補正方法】変更
【補正の内容】
【特許請求の範囲】
【請求項１】
内部回路と、
固定電源を利用して充電を行う第１のバッテリーと、
外部空間に存在する電磁波を利用して充電を行う第２のバッテリーと、を有し、
（Ａ）前記固定電源からの電力の供給がある場合において、前記固定電源からの電力により前記内部回路が動作し、
（Ｂ）前記固定電源からの電力の供給がなく、且つ、前記第２のバッテリーの電力が前記内部回路を動作するために十分な場合において、前記第２のバッテリーの電力により前記内部回路が動作し、
（Ｃ）前記固定電源からの電力の供給がなく、且つ、前記第２のバッテリーの電力が前記内部回路を動作するために十分でない場合において、前記第１のバッテリーの電力により前記内部回路が動作するとともに、前記電磁波を利用して前記第２のバッテリーの充電が行われ、
（Ｄ）前記固定電源からの電力の供給がない場合において、前記（Ｂ）と前記（Ｃ）とが交互に行われることを特徴とする無線通信機器。
【請求項２】
請求項１において、
前記固定電源からの電力の供給がある場合、前記電磁波を利用して前記第２のバッテリーの充電が行われることを特徴とする無線通信機器。
【請求項３】
請求項１において、
前記固定電源からの電力の供給がある場合、前記固定電源を利用して前記第２のバッテリーの充電が行われることを特徴とする無線通信機器。
【請求項４】
固定電源を利用して充電を行う第１のバッテリーと、
外部空間に存在する電磁波を利用して充電を行う第２のバッテリーと、を有し、
前記第１のバッテリーの放電と前記第２のバッテリーの放電とが交互に行われ、
前記第２のバッテリーが充電されている間に、前記第１のバッテリーの放電が行われることを特徴とする無線通信機器。
【請求項５】
請求項１乃至請求項４のいずれか一において、
前記第２のバッテリーの電力保持容量は、前記第１のバッテリーの電力保持容量よりも小さいことを特徴とする無線通信機器。
【請求項６】
請求項１乃至請求項５のいずれか一において、
無線通信をする際の送受信のための第１のアンテナと、
前記電磁波を利用した充電のための第２のアンテナと、を有することを特徴とする無線通信機器。
【請求項７】
請求項６において、
前記第２のアンテナは、複数の周波数帯の受信に対応していることを特徴とする無線通信機器。
【手続補正書】
【提出日】平成21年11月30日(2009.11.30)
【手続補正１】
【補正対象書類名】特許請求の範囲
【補正対象項目名】全文
【補正方法】変更
【補正の内容】
【特許請求の範囲】
【請求項１】
一方の面に滑り止め材を備えた柔軟な帯の一端に環を配し、その環に一端を固定し、他端には、帯を通すことのできる輪状部を一つ以上設けた細紐に掛け具をつけることを特徴とする吊り下げ具。
【請求項２】
滑り止め材を備えている帯の他方の面に、互いに係合するフック部とループ部の素子を備えることを特徴とする請求項１の吊り下げ具。
【手続補正２】
【補正対象書類名】明細書
【補正対象項目名】０００２
【補正方法】変更
【補正の内容】
【０００２】
【従来の技術】
ジュース，お茶，コーヒーなど飲料水の容器の場合には、こぼれ難く且つ飲みやすくするために、容器の飲み口が小さくなっている。しかし、使用した都度洗浄乾燥させるため下向きに置くが、容器の飲み口が乾燥用水切りかごに接触したままになる。この場合、容器の中の水分が流れ出し、飲み口の部分が乾燥かごに接触した状態で湿った状態が続くことになる。このために、容器自体の形状について、改良を行うことで対応する文献が出されている。
【手続補正３】
【補正対象書類名】明細書
【補正対象項目名】０００８
【補正方法】変更
【補正の内容】
【０００８】
【発明の実施の形態】
様々なサイズや外形のものを、同一の道具を用い同一の方法にて容易に吊り下げるためには、吊り下げ対象物の外形に応じて、対象物をきちんと保持する必要がある。そのために、吊り下げ対象物の外形に応じて、自在に沿うことができ、かつ、対象物を取り囲む締着力と、対象物との摩擦力を維持する構造が必要である。そして、その構造に掛け具をつけることにより、吊り下げ対象物を、上向き下向きを問わず好みの向きで吊り下げることを可能にする。
以下、本発明の実施の形態について説明する。
（イ）柔軟な帯（１）の吊り下げ対象と接する側の面に、摩擦力を強化するための滑り止め材（２）を、径や形状の異なる種々の吊り下げ対象物（８）の外周面にピッタリ沿わせるため、帯の柔軟性を損なわない範囲で備える。図１、図２、図３ＡＢ、図４の（２）参照
（ロ）吊り下げ対象物（８）の外周に帯（１）を巻きつけて締めるために、柔軟な帯（１）の一端に環（３）を配する。中央に支軸を備えている環を使用することもできる。図１、図２、図３ＡＢ、図４の（３）参照
掛け具の取り付け方の例は、以下の通り。一端を環にした紐（４）を柔軟な帯（１）の一端に環（３）を配し、その環（３）に一端を固定し、他端には、帯（１）を通すことのできる輪状部を一つ以上設けた紐（４）を備える。紐（４）の輪状部に帯（１）を一箇所以上通し、紐（４）にＪ形等の鈎、又は、カラビナ、吸盤、磁石、などの掛け具を取り付けて、どこにでも吊り下げられる様にしたもの。掛け具のＪ形鈎は図１の（７）参照。
本発明は、以上のような構成である。
これを使用するときは、あらかじめ、吊り下げ対象物（８）の径のサイズに合わせて帯（１）の適切な位置に紐（４）の輪状部を一筒所以上通しておき、環（３）に接続された柔軟な帯（１）の滑り止め材（２）側を吊り下げ対象物の外周面（８）に密着させながら捲着する。図１参照
そして、帯（１）の環（３）に接続されていない端を環（３）に挿し通す。図１参照
帯の滑り止め材（２）を備えている側の裏面にフック部（５）とループ部（６）の係合素子を備えている場合は、環（３）から帯（１）を折り返して、吊り下げ対象物（８）の外周と折り返し部のフック部（５）とループ部（６）の係合素子をしっかり掛け合わせる。これにより、吊り下げ対象物（８）は、摩擦力と係合素子の係合力により確実に保持される。図４参照
帯（１）にフック部（５）とループ部（６）の係合素子を備えていない場合は、環（３）の中央に支軸があるものを使用して、一度、支軸に帯（１）をかけてから、帯（１）を折り返し、環（３）の縁で帯（１）を圧迫する力と、外周と折り返し部で二重になった部分の帯（１）に生じる摩擦力を利用して、吊り下げ対象物（８）を保持する。掛け具の取り付け方の一例として、環（３）に一端を通し、他端には、帯（１）を通すことのできる輪状部を一つ以上設けた紐（４）の輪状部に、柔軟な帯（１）を一箇所以上通し、紐（４）の中央部に掛け具のＪ型鉤（７）を取り付ける。
そのあとで、掛け具のＪ形鈎（７）を、都合の良い場所へ掛けて、吊り下げ対象物（８）を真っ逆さまに吊るす。
環（３）と紐（４）の一端が接続されているため、帯（１）と紐（４）の位置関係のずれも防止でき、吊り下げ対象物（８）から帯（１）を外した場合でも紐（４）を紛失するおそれもない。
【手続補正４】
【補正対象書類名】明細書
【補正対象項目名】０００９
【補正方法】変更
【補正の内容】
【０００９】
【発明の効果】
従来のように、容器の形状自体に工夫がされていなくても、現実に市販されているさまざまな形態の容器等を吊り下げることができ、容易に第１の目的を達成できる。
自在にサイズ適応が可能なため、一つ所有するだけで、ストロー、スポイト、ピペットのような細いものから、一升瓶や果実酒瓶などさまざまな径の容器や、ボールや多角形などの多様な形態や布などの多様な素材の物体を吊り下げることができる。  これにより第２の目的を達成できる。
単純な構造であるため、大きさも嵩張らず、持ち運びにも便利で外出先に携帯しやすくなった。これにより第３の目的を達成できる。さらに、対象物の形状や特性により、特定の向きで吊り下げたいものがあれば、この構成を用いて容易に吊り下げることができる。
【図面の簡単な説明】
【図１】
本発明による容器の吊り下げ具の使用状態を示した斜視図である。
【図２】
本発明による容器の吊り下げ具の帯（１）と環（３）と紐（４）を示した斜視図である。
【図３】  Ａ本発明による吊り下げ具の帯（１）と環（３）の正面図である。Ｂ本発明による容器の吊り下げ具の帯（１）と環（３）の側面図である。
【図４】
本発明による容器の吊り下げ具の帯（１）と環（３）と紐（４）と係合素子フック部（５）、係合素子ループ部（６）を示した斜視図である。
【符号の説明】
１  帯
２  滑り止め材
３  環
４  紐
５  係合素子フック部
６  係合素子ループ部
７  Ｊ形鈎
８  吊り下げ対象物
【手続補正５】
【補正対象書類名】図面
【補正対象項目名】図１
【補正方法】変更
【補正の内容】
【図１】
2008136827.tif 000001
【手続補正６】
【補正対象書類名】図面
【補正対象項目名】図２
【補正方法】変更
【補正の内容】
【図２】
2008136827.tif 000002
【手続補正７】
【補正対象書類名】図面
【補正対象項目名】図４
【補正方法】変更
【補正の内容】
【図４】
2008136827.tif 000003
【手続補正書】
【提出日】平成21年12月2日(2009.12.2)
【手続補正１】
【補正対象書類名】特許請求の範囲
【補正対象項目名】請求項１
【補正方法】変更
【補正の内容】
【請求項１】
基体に起上り小法師が起上り自在に設けられており、前記基体に手で持ったり他の物体に取り付けたりするための支軸が前記基体を回転させ得るように設けられていることを特徴とする、起上り小法師。
【手続補正２】
【補正対象書類名】明細書
【補正対象項目名】０００７
【補正方法】変更
【補正の内容】
【０００７】  上記課題は、基体に起上り小法師が起上り自在に設けられており、前記基体に手で持ったり他の物体に取り付けたりするための支軸が前記基体を回転させ得るように設けられていることを特徴とする、起上り小法師とすることにより達成される。
【手続補正３】
【補正対象書類名】明細書
【補正対象項目名】００３８
【補正方法】変更
【補正の内容】
【００３８】  第７実施形態
ところで頭部は用いる素材や飾り付けなどによって重量が重りに対して比較的に大きくなる場合があり、さらに頭部を重くすると頭部が起き上がりにくくなる状況が生ずる。従って頭部の重量は程々になるように各部分を設計する必要があるが、場合によっては頭部を比較的に重くせざるを得ないこともある。
【手続補正書】
【提出日】平成22年2月3日(2010.2.3)
【手続補正１】
【補正対象書類名】特許請求の範囲
【補正対象項目名】全文
【補正方法】変更
【補正の内容】
【特許請求の範囲】
【請求項１】
複数種の絵柄が特定方向に循環表示される複数の循環表示手段を有する絵柄表示手段と、
前記各循環表示手段における絵柄の循環表示を視認可能とする表示部と、
前記各循環表示手段における絵柄の循環表示を開始させるべく操作される始動操作手段と、
前記始動操作手段の操作に基づいて役の抽選を行う抽選手段と、
前記始動操作手段の操作に基づいて前記各循環表示手段における循環表示を開始させるよう前記絵柄表示手段を開始制御する開始制御手段と、
前記各循環表示手段における循環表示を個別に停止させるべく操作される複数の停止操作手段と、
前記各停止操作手段の操作に基づいて対応する循環表示手段の循環表示を停止させるように、且つ、前記役の抽選に当選するとともに前記停止操作手段が所定のタイミングで操作された場合には、当選している役と対応する当選絵柄が前記表示部から視認できる有効位置に停止するように前記絵柄表示手段を停止制御する停止制御手段と、
前記有効位置に前記当選絵柄が所定の組合せを形成して停止した場合、入賞成立として特典を付与する特典付与手段と
を備えた遊技機において、
前記各循環表示手段にて循環表示される循環表示情報をその循環表示方向にそれぞれ区画した複数の区画領域と各区画領域に設定された絵柄との対応関係を記憶する対応関係記憶手段と、
前記停止操作手段が操作されて停止指令が発生した場合に、対応する循環表示手段の各区画領域のうち、予め定めた規定位置に到達している到達区画領域を把握する到達区画領域把握手段と、
前記停止指令が発生した場合、前記到達区画領域把握手段の把握結果に基づいて、対応する循環表示手段の各区画領域のうち、前記規定位置に停止させる停止区画領域を決定する停止区画領域決定手段と、
を備えていることを特徴とする遊技機。
【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
各種遊技部品が設けられた遊技機本体と、
前記遊技機本体の前面側に開閉可能に取り付けられた前面扉と
を備え、
前記遊技機本体と前記前面扉との間に遊技機内部が形成され、当該遊技機内部に前記各種遊技部品の少なくとも一部が収容された遊技機において、
前記遊技機本体と前記前面扉との間からの異物の侵入を前記遊技機内部に至る手前位置で規制するとともに、前記遊技機本体に対する前記前面扉の遊技機前方への相対的な変位を規制する規制機構を設けたことを特徴とする遊技機。
【請求項２】
前記規制機構を、前記遊技機本体及び前記前面扉の周縁部の少なくとも一部に沿って延びるように設けたことを特徴とする請求項１に記載の遊技機。
【請求項３】
前記規制機構として、
前記遊技機本体及び前記前面扉のいずれか一方に設けられ、前記異物の侵入を規制する第１部材と、
他方に設けられるとともに、前記遊技機本体に対して前記前面扉が閉鎖状態にある場合に前記第１部材に組み合わされる第２部材と
を備え、
前記第１部材と前記第２部材とが組み合わされることで前記前面扉の前記変位を規制する構成としたことを特徴とすることを特徴とする請求項１又は２に記載の遊技機。
【請求項４】
前記第１部材を長尺状の部材とし、当該第１部材を前記遊技機本体又は前記前面扉の周縁部の少なくとも一部に沿って延びるように設けたことを特徴とする請求項３に記載の遊技機。
【請求項５】
前記第１部材を複数連ねることで、各第１部材を全体として遊技機本体又は前記前面扉の周縁部の少なくとも一部に沿って延びるように設けたことを特徴とする請求項３に記載の遊技機。
【請求項６】
前記第２部材を、前記第１部材と組み合わされた場合に前記異物の侵入を規制するように、かつ遊技機本体又は前記前面扉の周縁部の少なくとも一部に沿って延びるように設けたことを特徴とする請求項３乃至５のいずれか一項に記載の遊技機。
【請求項７】
前記第１部材は、
第１部材と第２部材とが組み合わされた場合に前記第２部材が遊技機左右方向又は上下方向から入り込む受入部と、
前記受入部を形成するとともに、前記第２部材との当接状態では前記前面扉の前記変位を規制する規制部と
を備えたことを特徴とする請求項３乃至６のいずれか一項に記載の遊技機。
【請求項８】
前記第１部材を、前記規制部と前記第２部材とが当接状態にある場合の当接部が前記遊技機本体及び前記前面扉の周縁部の少なくとも一部に沿って延びるように設けたことを特徴とする請求項７に記載の遊技機。
【請求項９】
前記遊技機本体及び前記前面扉のいずれか一方に設けられた前記第１部材は、
前記異物の侵入を規制するとともに前記一方の周縁部の少なくとも一部に沿って延びるように、かつ前記受入部を形成するべく前記一方と前記規制部とを連結する連結部（連結板部１７４）を有することを特徴とする請求項７又は８に記載の遊技機。
【請求項１０】
前記遊技機本体に対して前記前面扉を回動可能に支持する支持部を設け、
前記第１部材及び前記第２部材を、前記前面扉の閉鎖動作に伴って組み合わされるように設けたことを特徴とする請求項３乃至９のいずれか一項に記載の遊技機。
【請求項１１】
前記遊技機本体に対して前記前面扉を回動可能に支持する支持部を設け、
前記前面扉の閉鎖動作に伴って、前記第２部材が前記受入部に遊技機左右方向又は上下方向から入り込む構成としたことを特徴とする請求項７乃至９のいずれか一項に記載の遊技機。
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
複数種の絵柄が特定方向に循環表示される複数の循環表示手段を有する絵柄表示手段と、
前記各循環表示手段における絵柄の循環表示を視認可能とする表示部と、
前記各循環表示手段における絵柄の循環表示を開始させるべく操作される始動操作手段と、
前記始動操作手段の操作に基づいて役の抽選を行う抽選手段と、
前記始動操作手段の操作に基づいて前記各循環表示手段における循環表示を開始させるよう前記絵柄表示手段を開始制御する開始制御手段と、
前記各循環表示手段における循環表示を個別に停止させるべく操作される複数の停止操作手段と、
前記各停止操作手段の操作に基づいて対応する循環表示手段の循環表示を停止させるように、且つ、前記役の抽選に当選するとともに前記停止操作手段が所定のタイミングで操作された場合には、当選している役と対応する当選絵柄が前記表示部から視認できる有効位置に停止するように前記絵柄表示手段を停止制御する停止制御手段と、
前記有効位置に前記当選絵柄が所定の組合せを形成して停止した場合、入賞成立として特典を付与する特典付与手段と
を備えた遊技機において、
前記各循環表示手段にて循環表示される循環表示情報をその循環表示方向にそれぞれ区画した複数の区画領域と各区画領域に設定された絵柄との対応関係を記憶する対応関係記憶手段と、
前記停止操作手段が操作されて停止指令が発生した場合に、対応する循環表示手段の各区画領域のうち、予め定めた規定位置に到達している到達区画領域を把握する到達区画領域把握手段と、
前記停止指令が発生した場合、前記到達区画領域把握手段の把握結果に基づいて、対応する循環表示手段の各区画領域のうち、前記規定位置に停止させる停止区画領域を決定する停止区画領域決定手段と、
前記停止区画領域が決定されていない循環表示手段の循環表示を停止させる場合に用いる停止情報を、前記停止区画領域決定手段の決定結果に基づいて導出する停止情報導出手段と、
前記停止情報を記憶する停止情報記憶手段と、
を備え、
前記停止制御手段は、前記停止区画領域決定手段の決定した停止区画領域が前記規定位置に停止するよう対応する循環表示手段を停止制御し、
前記停止情報導出手段は、前記停止指令が発生してから次の停止指令が発生するまでに、前記停止区画領域が決定されていない少なくとも一の循環表示手段について全区画領域の停止情報を導出することを特徴とする遊技機。
【請求項２】
前記停止区画領域決定手段は、
前記到達区画領域把握手段の把握結果に基づいて、予め定めた規定期間に前記規定位置に到達させることが可能な到達可能区画領域を把握する到達可能区画領域把握手段と、
前記停止情報記憶手段に記憶された前記到達区画領域及び前記到達可能区画領域の全停止情報を比較判定する比較判定手段と、
前記比較判定手段の判定結果に基づいて、前記停止区画領域を導出する停止区画領域導出手段と
を備えることを特徴とする請求項１に記載の遊技機。
【請求項３】
前記停止情報導出手段は、
前記区画領域が前記規定位置に到達した場合に前記有効位置に到達する到達絵柄を区画領域毎に把握する到達絵柄把握手段と、
該到達絵柄把握手段の把握した到達絵柄と前記役の抽選結果に基づいて入賞成立の可能性を区画領域毎に判断する入賞可能性判断手段と
を備え、
前記停止情報記憶手段には、前記入賞可能性判断手段の判断結果を示す入賞可能性情報を記憶する入賞可能性記憶領域を設けたことを特徴とする請求項２に記載の遊技機。
【請求項４】
前記停止情報導出手段は、
前記区画領域が前記規定位置に到達した場合に前記有効位置に到達する到達絵柄を区画領域毎に把握する到達絵柄把握手段と、
前記役の抽選結果に基づいて、前記到達絵柄把握手段の把握した到達絵柄が前記有効位置に停止することを回避させるか否かを区画領域毎に判断する回避判断手段とを備え、
前記停止情報記憶手段には、前記回避判断手段の判断結果を示す回避判断情報を記憶する回避判断記憶領域を設けたことを特徴とする請求項２に記載の遊技機。
【手続補正書】
【提出日】平成22年11月8日(2010.11.8)
【手続補正１】
【補正対象書類名】特許請求の範囲
【補正対象項目名】全文
【補正方法】変更
【補正の内容】
【特許請求の範囲】
【請求項１】
複数の移動局と共有チャネルを用いて通信を行う基地局装置であって、
前記複数の移動局の中で、上りリンクの送信バッファの中に送信すべきデータが存在する移動局の数を、優先度クラス毎に算出する算出手段、
を備える基地局装置。
【請求項２】
請求項１に記載の基地局装置であって、
前記算出手段は、前記複数の移動局から報告されるバッファ状態に基づいて、共有チャネルにより送信すべきデータが存在する移動局の数または前記移動局の論理チャネルの数を算出する、基地局装置。
【請求項３】
前記算出手段が、前記移動局の数の平均値を、優先度クラス毎に算出する、請求項１に記載の基地局装置。
【請求項４】
前記算出手段が、算出した値を出力する、請求項３に記載の基地局装置。
【手続補正書】
【提出日】平成22年6月2日(2010.6.2)
【手続補正１】
【補正対象書類名】特許請求の範囲
【補正対象項目名】全文
【補正方法】変更
【補正の内容】
【特許請求の範囲】
【請求項１】
サッカロマイセス（Ｓａｃｃｈａｒｏｍｙｃｅｓ）属菌又はキャンディダ（Ｃａｎｄｉｄａ）属菌である酵母を、尿素を含有するｐＨ４．０〜６．０の液体培地に接種して液体培養し、当該液体培地のｐＨを経時的に高めて、増殖の定常期における液体培地のｐＨを７．５以上１１未満に調整した後、当該酵母を当該ｐＨの範囲内において更に培養することを特徴とする酵母の培養方法。
【請求項２】
前記液体培地中の尿素含有量が０．５〜５％である、請求項１に記載の酵母の培養方法。
【請求項３】
前記の液体培養において、培養酵母の一部を回収し、当該酵母内の遊離グルタミン酸含有量の測定を断続的に行う、請求項１又は２に記載の酵母の培養方法。
【請求項４】
前記酵母がサッカロマイセス・セレビシエ（Ｓａｃｃｈａｒｏｍｙｃｅｓ ｃｅｒｅｖｉｓｉａｅ）又はキャンディダ・ユティリス（Ｃａｎｄｉｄａ ｕｔｉｌｉｓ）である請求項１〜３の何れか一項に記載の酵母の培養方法。  
【請求項５】
請求項１〜４の何れか一項に記載の酵母の培養方法で培養した酵母を回収する工程を含む、酵母の製造方法。
【請求項６】
請求項１〜４の何れか一項に記載の酵母の培養方法で培養した酵母から、酵母エキスを抽出する工程を含む、酵母エキスの製造方法。
【手続補正２】
【補正対象書類名】明細書
【補正対象項目名】０００８
【補正方法】変更
【補正の内容】
【０００８】
（１）  サッカロマイセス（Ｓａｃｃｈａｒｏｍｙｃｅｓ）属菌又はキャンディダ（Ｃａｎｄｉｄａ）属菌である酵母を、尿素を含有するｐＨ４．０〜６．０の液体培地に接種して液体培養し、当該液体培地のｐＨを経時的に高めて、増殖の定常期における液体培地のｐＨを７．５以上１１未満に調整した後、当該酵母を当該ｐＨの範囲内において更に培養することを特徴とする酵母の培養方法。
（２）  前記液体培地中の尿素含有量が０．５〜５％である、前記（１）に記載の酵母の培養方法。
（３）  前記の液体培養において、培養酵母の一部を回収し、当該酵母内の遊離グルタミン酸含有量の測定を断続的に行う、前記（１）又は（２）に記載の酵母の培養方法。
（４）  前記酵母がサッカロマイセス・セレビシエ（Ｓａｃｃｈａｒｏｍｙｃｅｓ ｃｅｒｅｖｉｓｉａｅ）又はキャンディダ・ユティリス（Ｃａｎｄｉｄａ ｕｔｉｌｉｓ）である前記（１）〜（３）の何れか一つに記載の酵母の培養方法。
（５）  前記（１）〜（４）の何れか一つに記載の酵母の培養方法で培養した酵母を回収する工程を含む、酵母の製造方法。
（６）  前記（１）〜（４）の何れか一つに記載の酵母の培養方法で培養した酵母から、酵母エキスを抽出する工程を含む、酵母エキスの製造方法。